(57)【特許請求の範囲】
【請求項１】
装着された、昇華性インクによる昇華性インク領域と不可視インクによる不可視インク領域とを有するインクフィルム、及び、前記昇華性インク及び不可視インクを受容する受容層を有する中間転写フィルム、を用い、
被印刷物に印刷する印刷像を、前記インクフィルムの前記昇華性インク及び不可視インクを前記受容層に転写して転写像を形成し、前記転写像を前記被印刷物に再転写する再転写方式の印刷装置において、
前記印刷像における前記昇華性インクで印刷する昇華性インク像と前記不可視インクで印刷する不可視インク像との重畳の有無を判定する重畳判定部と、
前記重畳判定部の判定結果に応じて前記転写動作を制御する制御部と、を備え、
前記重畳判定部が重畳有りと判定した場合には、前記制御部が、前記昇華性インク像を前記受容層における前記被印刷物に対応した第１の転写領域に転写させるとともに、前記不可視インク像を前記受容層における前記被印刷物に対応した前記第１の転写領域とは異なり前記第１の転写領域と互いに積層して前記被印刷物に再転写される第２の転写領域に転写させ、
前記重畳判定部が重畳無しと判定した場合には、前記制御部が、前記昇華性インク像と前記不可視インク像とを前記受容層における前記被印刷物に対応した１つの転写領域における異なる領域に転写させるよう構成したことを特徴とする再転写方式の印刷装置。
【請求項２】
前記インクフィルムが溶融インクによる溶融インク領域を有し前記受容層が該溶融インクを受容する場合に、前記インクフィルムの昇華性インク，不可視インク，及び前記溶融インクを前記受容層に転写して転写像を形成し、
前記重畳判定部は、前記溶融インクで印刷する溶融インク像と前記不可視インクで印刷する不可視インク像との重畳の有無を判定し、
前記制御部は、前記重畳判定部の重畳の有無の判定結果に応じて前記中間転写フィルムに対する前記溶融インクと前記不可視インクとの転写順を制御することを特徴とする請求項１記載の再転写方式の印刷装置。
【請求項３】
前記不可視インクで印刷する不可視インク像は、当該再転写方式の印刷装置の固有情報を含むことを特徴とする請求項１または請求項２記載の再転写方式の印刷装置。
【請求項４】
前記固有情報は、当該再転写方式の印刷装置の製造番号またはＭＡＣアドレスであることを特徴とする請求項３記載の再転写方式の印刷装置。
【請求項５】
装着された、昇華性インクによる昇華性インク領域と不可視インクによる不可視インク領域とを有するインクフィルム、及び、前記昇華性インク及び不可視インクを受容する受容層を有する中間転写フィルム、を用い、
被印刷物に印刷する印刷像を、前記インクフィルムの前記昇華性インク及び不可視インクを前記受容層に転写して転写像を形成し、前記転写像を前記被印刷物に再転写する再転写方式の印刷方法において、
前記印刷像における前記昇華性インクで印刷する昇華性インク像と前記不可視インクで印刷する不可視インク像との重畳の有無を判定する重畳判定ステップと、
前記重畳判定ステップで重畳有りと判定した場合に、前記昇華性インク像を前記受容層における前記被印刷物に対応した第１の転写領域に転写させるとともに、前記不可視インク像を前記受容層における前記被印刷物に対応した前記第１の転写領域とは異なり前記第１の転写領域と互いに積層して前記被印刷物に再転写される第２の転写領域に転写させ、
前記重畳判定ステップで重畳無しと判定した場合には、前記昇華性インク像と前記不可視インク像とを前記受容層における前記被印刷物に対応した１つの転写領域における異なる領域に転写させる転写ステップと、を有することを特徴とする再転写方式の印刷方法。
【請求項６】
前記インクフィルムが溶融インクによる溶融インク領域を有し前記受容層が該溶融インクを受容する場合に、前記インクフィルムの昇華性インク，不可視インク，及び前記溶融インクを前記受容層に転写して転写像を形成し、
前記溶融インクで印刷する溶融インク像と前記不可視インクで印刷する不可視インク像との重畳の有無を判定する溶融インク像重畳判定ステップをさらに有し、
前記転写ステップは、前記重畳判定ステップでの重畳の有無の判定結果に応じて前記中間転写フィルムに対する前記溶融インクと前記不可視インクとの転写順を制御することを特徴とする請求項５記載の再転写方式の印刷方法。
【請求項７】
前記不可視インクで印刷する不可視インク像は、当該再転写方式の印刷方法で前記転写を行う印刷装置の固有情報を含むことを特徴とする請求項５または請求項６記載の再転写方式の印刷方法。
【請求項８】
前記固有情報は、当該再転写方式の印刷方法で前記転写を行う前記印刷装置の製造番号またはＭＡＣアドレスであることを特徴とする請求項７記載の再転写方式の印刷方法。
【発明の詳細な説明】
【技術分野】
【０００１】
本発明は、再転写方式の印刷装置及び再転写方式の印刷方法に係り、特に、被印刷物に印刷した情報のセキュリティ性を高めつつ、経済性にも優れた技術に関する。
【背景技術】
【０００２】
従来、カードなどの被印刷物の改竄や偽造を防止しそのセキュリティ性を高める技術が種々検討され実用化されてきている。
このような技術は、特にカード、具体的には、クレジットカード，ＩＤカード，身分証明用カードなど、に広く適用されることが望まれている。
また、個人を特定するためのカードには、その所有者の顔写真を印刷する場合が多く、文字などに好適に用いられる溶融型インクに加えて、高品位な写真印刷に適した昇華型インクを用いる例が増加している。
【０００３】
セキュリティ性を高める技術としては、可視光においては不可視であるが特定の波長域（例えば紫外線）で蛍光して可視となるいわゆる不可視インクを用いて、写真やデータなどを常態で不可視に印刷しておく技術が知られており、例えば、特許文献１には、カードに不可視インクで認証コードを印刷する技術について記載されている。
【０００４】
また、昇華性インクと不可視インクとを用いてカードを作成する技術の一例が特許文献２に記載されている。
この特許文献２に記載されたカードは、改竄や偽造を防止してセキュリティー性を高めたＩＤカードであり、昇華性インクにより印刷された顔写真画像領域上に、紫外線の照射により蛍光して目視可能となる蛍光インキを用いて固有情報が重ねて印刷されて成るものである。
【０００５】
そして、このカードの製造においては、昇華転写リボンとして、イエロー（Ｙ），マゼンタ（Ｍ），シアン（Ｃ），ブラック（Ｂ）の順に昇華染料層を設けると共に、これに続けて蛍光インキと保護層とを設けたものを用いることが記載されている。
【特許文献１】特開平５−５２０６９号公報
【特許文献２】特開平１１−３２１１６６号公報
【発明の開示】
【発明が解決しようとする課題】
【０００６】
ところで、一般に、昇華性インクは溶融型インクと比べて耐光性に改善の余地が多い。
具体的には、光の照射により退色する傾向があるのでこの退色が抑制されることが望まれている。
【０００７】
しかしながら、特許文献２に記載されたカードのような、昇華性インクで印刷した領域上に不可視インクを重ね印刷する構成においては、不可視インクで印刷された情報の確認のため紫外線が照射される毎に、昇華性インクは不可視インクの蛍光を直接浴びることになる。
そのため、退色がより促進されて印刷画像が早く劣化し、カードとして有効に利用できる期間が短くなることが懸念される。
【０００８】
また、カードなどの被印刷物の印刷レイアウトは自由であって、昇華性インク上に不可視インクが重ね印刷されないレイアウトでも印刷を行えることが望まれる。
すなわち、仮に、印刷装置が、昇華性インクと不可視インクとが重なるようなレイアウトの印刷のみに特化したものでは、使い勝手が良くなく、コストアップになるので、印刷レイアウト上の制限がなく良好に印刷が可能で、しかも高いセキュリティ性を発揮する印刷装置や印刷方法であることが望まれている。
【０００９】
また、高いセキュリティ性が求められる情報は、いわゆるトレーサビリティにも良好に対応できていることが望ましい。
従って、例えば、印刷装置側の製造情報や、修理及び改訂履歴などが、被印刷物に印刷された情報から特定できることは極めて有効である。
【００１０】
そこで、本発明が解決しようとする課題は、被印刷物への印刷レイアウト上の制限がなく不可視インクを用いた高いセキュリティ性を有する印刷が可能で、そのレイアウトにおいて昇華性インクと不可視インクとを同じ領域に重なったとしても、被印刷物は、昇華性インクの退色が抑制されて長期にわたり利用可能であり、また、印刷物の印刷に関するトレーサビリティ性に優れた、再転写方式の印刷装置及び再転写方式の印刷方法を提供することにある。
【課題を解決するための手段】
【００１１】
上記の課題を解決するために、本願発明は手段として次の構成及び手順を有する。
１）  装着された、昇華性インクによる昇華性インク領域（Ｙ，Ｍ，Ｃ）と不可視インクによる不可視インク領域（ＵＶＳ）とを有するインクフィルム（３３）、及び、前記昇華性インク及び不可視インクを受容する受容層（１１ｃ）を有する中間転写フィルム（１１）、を用い、
被印刷物（１ＡＡ）に印刷する印刷像を、前記インクフィルム（３３）の前記昇華性インク及び不可視インクを前記受容層（１１ｃ）に転写して転写像を形成し、前記転写像を前記被印刷物（１ＡＡ）に再転写する再転写方式の印刷装置において、
前記印刷像における前記昇華性インクで印刷する昇華性インク像（１８）と前記不可視インクで印刷する不可視インク像（２０）との重畳の有無を判定する重畳判定部（７６−５）と、
前記重畳判定部（７６−５）の判定結果に応じて前記転写動作を制御する制御部（６）と、を備え、
前記重畳判定部（７６−５）が重畳有りと判定した場合には、前記制御部（６）が、前記昇華性インク像（１８）を、前記受容層（１１ｃ）における前記被印刷物（１ＡＡ）に対応した第１の転写領域（２１）に転写させるとともに、前記不可視インク像（２０）を前記受容層（１１ｃ）における前記被印刷物（１ＡＡ）に対応した前記第１の転写領域（２１）とは異なり前記第１の転写領域（２１）と互いに積層して前記被印刷物（１ＡＡ）に再転写される第２の転写領域（２２）に転写させ、
前記重畳判定部（７６−５）が重畳無しと判定した場合には、前記制御部（６）が、前記昇華性インク像（１８）と前記不可視インク像（２０）とを前記受容層（１１ｃ）における前記被印刷物（１ＡＡ）に対応した１つの転写領域における異なる領域（２１２）に転写させるよう構成したことを特徴とする再転写方式の印刷装置（６０）である。
２）  前記インクフィルム（３３）が溶融インクによる溶融インク領域（Ｋ）を有し前記受容層（１１ｃ）が該溶融インクを受容する場合に、前記インクフィルム（３３）の昇華性インク，不可視インク，及び前記溶融インクを前記受容層（１１ｃ）に転写して転写像（１８，１９，２０）を形成し、
前記重畳判定部（７６−５）は、前記溶融インクで印刷する溶融インク像（１９）と前記不可視インクで印刷する不可視インク像（２０）との重畳の有無を判定し、
前記制御部（６）は、前記重畳判定部（７６−５）の重畳の有無の判定結果に応じて前記中間転写フィルム（１１）に対する前記溶融インクと前記不可視インクとの転写順を制御することを特徴とする１）に記載の再転写方式の印刷装置（６０）である。
３）  前記不可視インクで印刷する不可視インク像（２０）は、当該再転写方式の印刷装置（６０）の固有情報（ＫＪ）を含むことを特徴とする１）または２）に記載の再転写方式の印刷装置（６０）である。
４）  前記固有情報（ＫＪ）は、当該再転写方式の印刷装置（６０）の製造番号またはＭＡＣアドレスであることを特徴とする３）に記載の再転写方式の印刷装置である。
５）  装着された、昇華性インクによる昇華性インク領域（Ｙ，Ｍ，Ｃ）と不可視インクによる不可視インク領域（ＵＶＳ）とを有するインクフィルム（３３）、及び、前記昇華性インク及び不可視インクを受容する受容層（１１ｃ）を有する中間転写フィルム（１１）、を用い、
被印刷物（１ＡＡ）に印刷する印刷像を、前記インクフィルム（３３）の前記昇華性インク及び不可視インクを前記受容層（１１ｃ）に転写して転写像を形成し、前記転写像を前記被印刷物（１ＡＡ）に再転写する再転写方式の印刷方法において、
前記印刷像における前記昇華性インクで印刷する昇華性インク像（１８）と前記不可視インクで印刷する不可視インク像（２０）との重畳の有無を判定する重畳判定ステップ（Ｓ３）と、
前記重畳判定ステップ（Ｓ３）で重畳有りと判定した場合に、前記昇華性インク像（１８）を前記受容層（１１ｃ）における前記被印刷物（１ＡＡ）に対応した第１の転写領域（２１）に転写させるとともに、前記不可視インク像（２０）を前記受容層（１１ｃ）における前記被印刷物（１ＡＡ）に対応した前記第１の転写領域（２１）とは異なり前記第１の転写領域（２１）と互いに積層して前記被印刷物（１ＡＡ）に再転写される第２の転写領域（２２）に転写させ、
前記重畳判定ステップ（Ｓ３）で重畳無しと判定した場合には、前記昇華性インク像（１８）と前記不可視インク像（２０）とを前記受容層（１１ｃ）における前記被印刷物（１ＡＡ）に対応した１つの転写領域における異なる領域（２１２）に転写させる転写ステップを有することを特徴とする再転写方式の印刷方法である。
６）  前記インクフィルム（３３）が溶融インクによる溶融インク領域（Ｋ）を有し前記受容層（１１ｃ）が該溶融インクを受容する場合に、前記インクフィルム（３３）の昇華性インク，不可視インク，及び前記溶融インクを前記受容層（１１ｃ）に転写して転写像を形成し、
前記溶融インクで印刷する溶融インク像と前記不可視インクで印刷する不可視インク像との重畳の有無を判定する溶融インク像重畳判定ステップ（Ｓ４，Ｓ５）をさらに有し、
前記転写ステップは、前記溶融インク像重畳判定ステップ（Ｓ４，Ｓ５）での重畳の有無の判定結果に応じて前記中間転写フィルムに対する前記溶融インクと前記不可視インクとの転写順を制御することを特徴とする５）に記載の再転写方式の印刷方法である。
７）  前記不可視インクで印刷する不可視インク像（２０）は、当該再転写方式の印刷方法で前記転写を行う印刷装置（６０）の固有情報（ＫＪ）を含むことを特徴とする５）または６）に記載の再転写方式の印刷方法である。
８）  前記固有情報ＫＪは、当該再転写方式の印刷方法で前記転写を行う前記印刷装置（６０）の製造番号またはＭＡＣアドレスであることを特徴とする７）に記載の再転写方式の印刷方法である。
【発明の効果】
【００１２】
本発明によれば、被印刷物への印刷レイアウト上の制限がなく不可視インクを用いた高いセキュリティ性を有する印刷が可能で、そのレイアウトにおいて昇華性インクと不可視インクとを同じ領域に重なったとしても、被印刷物は、昇華性インクの退色が抑制されて長期にわたり利用可能であり、また、印刷物の印刷に関するトレーサビリティ性に優れる、という効果を奏する。
【発明を実施するための最良の形態】
【００１３】
本発明の実施の形態を、好ましい実施例により図１〜図１６を用いて説明する。
【００１４】
実施例の再転写方式の印刷装置は、この装置に装着され昇華性インクなどのインク層を面順次に形成したインクフィルムを用い、そのインクを、この装置に装着されインク受容層が設けられた中間転写フィルムに像として転写し、この転写された像を、この装置に供給された被印刷物であるカード基体に再度転写してカードを作成するものである。これはいわゆる再転写印刷方式と呼ばれる。
【００１５】
この印刷装置はカード製造装置６０であり、図１（ａ），図１（ｂ）に示すように、カード基体１ＡＡの搬送駆動源であるモータＭ３とこのモータＭ３に連結されカード基体１ＡＡを挟持して搬送する挟持ローラ２とを有するカード搬送部ＫＨと、カード基体１ＡＡの搬送位置を検出するセンサ７Ｂと、詳細を後述するインクフィルム３３を張架した一対のリール４と各リール４を回転駆動するモータＭ１，Ｍ２とを有するインクフィルム搬送部ＩＦＨと、インクフィルム３３にその各インク層の位置を特定するために設けられたポジションマークＰＭ１１〜ＰＭ１４（後述）を非接触で検出するセンサ７Ａと、インクフィルム３３を加熱して昇華性インクあるいは溶融型インクを昇華あるいは溶融させるサーマルヘッド５と、ローラ５Ｂとの間でインクフィルム３３を中間転写フィルム１１（後述する）に押圧させるようにこのサーマルヘッド５を図１（ａ）における左右方向に移動させるヘッド駆動部ＨＡと、この装置全体の動作を制御する制御部６と、印刷するデータを処理するデータ処理部７６と、を有する。
【００１６】
さらに、このカード印刷装置６０は、中間転写フィルム１１を張架した一対のリール１２及び各リール１２を回転駆動するモータＭ４，Ｍ５を有する中間転写フィルム搬送部ＴＦＨと、中間転写フィルム１１にその搬送位置を特定するため設けられたポジションマークを非接触で検出するセンサ７Ｃと、中間転写フィルム１１を加熱して昇華性インクあるいは溶融型インクを昇華あるいは溶融させるサーマルヘッド１３と、中間転写フィルム１１をカード基体１ＡＡに押圧させるようにこのサーマルヘッド１３を図1（ａ）における上下方向に移動させるヘッド駆動部ＨＡ２と、を備えている。
【００１７】
インクフィルム３３は、その部分平面図である図２に示すように、帯状の基材シート３３ａと、その一面に面順次に形成された昇華性インク層Ｙ，Ｍ，Ｃと、紫外線発光インク層ＵＶと、溶融型インク層Ｋとを有する。
以下、インクフィルム３３に形成されたこれらの層を、それぞれ昇華性インク領域，昇華性紫外線発光インク（不可視インク）領域，溶融型インク領域とも称する。
具体的配列は、長手方向順に、イエロー（Ｙ），マゼンタ（Ｍ），シアン（Ｃ）の各昇華性インク層Ｙ，Ｍ，Ｃと、昇華性紫外線発光インク層ＵＶＳと、黒色の溶融型インク層Ｋと、であり、これらを一組（ＫＭ２）として複数の組が繰り返し形成されている。
【００１８】
また、各インク層の位置をセンサ７Ａで判別して検出できるようにポジションマークＰＭ１１〜ＰＭ１５が各インク層に対応して設けられている。
【００１９】
一方、中間転写フィルム１１は、その一例を断面図である図３に示すように、帯状の基部１１ａと、その一面上に積層された剥離層１１ｂ，保護層１１ｃ及びインク受容層１１ｄとを有する。
これらの積層された層の内、表面側の保護層１１ｃ及びインク受容層１１ｄが転写層１１ｃｄとされ、剥離層１１ｂはこの転写層１１ｃｄの剥離を容易にするために設けられている。
【００２０】
ここで、保護層１１ｃは、例えばポリウレタン系樹脂，アクリル系樹脂，ポリエチレン系樹脂等により形成されている。
【００２１】
この構成において、制御部６は、センサ７Ａ，７Ｂからの出力信号に基づいて、中間転写フィルム１１の未使用領域におけるこれからインクを転写する領域の頭出しと、この転写領域に転写する像の最初に転写する色の昇華性インク（例えばＹ）のインク層の頭出しとを行い、その頭出し位置をサーマルヘッド５の位置とするようにインクフィルム搬送部ＩＦＨ及び中間転写フィルム搬送部ＴＦＨとを制御する。
【００２２】
また、制御部６は、インクフィルム３３と中間転写フィルム１１との位置出しに伴い、ヘッド駆動部ＨＡを駆動し、サーマルヘッド５とローラ５Ｂとの間にインクフィルム３３と中間転写フィルム１１とを挟みつつ両フィルムを搬送すると共に、サーマルヘッド５を加熱してインクを昇華させ、所定の転写像を中間転写フィルム１１上に転写するよう制御する。
【００２３】
この際、昇華したインクは、中間転写フィルム１１のインク受容層１１ｄに保持されることで転写される。
【００２４】
データ処理部７６は、ユーザの入力操作によって不可視インクで印刷する印刷データを生成するとともに、被印刷物への印刷レイアウトを基に各インクで印刷する領域の重なりの有無を検出し、その検出結果に応じて中間転写フィルムを効率よく利用できるように中間転写フィルムへの転写モードを設定する。
この転写モードは、再転写にも適用され、ＡモードおよびＢモードに大別され、さらに、それぞれＡ１モードおよびＡ２モード、Ｂ１モードおよびＢ２モードに小別される。以下、モード毎に詳述する。
【００２５】
制御部６は、このデータ処理部７６で設定された転写モードに基づいて転写動作や再転写動作などを実行させる。
【００２６】
＜Ａ１モード＞
図４には、データ処理部７６により設定されたＡ１モードに基づいて制御部６の指示により転写動作が実行された後の中間転写フィルム１１を概略断面図として示している。
この中間転写フィルム１１への転写において、昇華性インクの各色Ｙ，Ｍ，Ｃは同一領域である第１の転写領域２１に重ねて転写される。
【００２７】
一方、この第１の転写領域２１に所定の間隔を有して隣接する第２の転写領域２２に、紫外線発光インク層ＵＶＳのインクと溶融型インク層Ｋのインクとが重ねて転写される。
すなわち、昇華性インクについては、第１の転写領域２１の頭出しとインクフィルム３３における各色の頭出しとを繰り返して、複数色Ｙ，Ｍ，Ｃの各インクが第１の転写領域２１のインク受容層１１ｄ（１１ｄ１）に転写される。これにより、インク受容層１１ｄ（１１ｄ１）には、昇華性インク像１８が形成される。
この像は、フルカラーで極めて高品位に印刷できるので顔写真などが好適である。
【００２８】
また、第２の転写領域２２のインク受容層１１ｄ（１１ｄ２）に対しては、まず、紫外線発光インク層ＵＶＳのインクが転写されて不可視インク像２０が形成され、次いで溶融型インク層Ｋのインクが重ねて転写されて溶融型インク像１９が形成される。
従って、後から転写される溶融型インク像１９は、第２の転写領域２２のインク受容層１１ｄにおいてその表面側に形成される。
以下、第１及び第２の転写領域２１，２２のインク受容層１１ｄについて符号を各１１ｄ１，１１ｄ２と付与し、同様に保護層１１ｃについて符号を各１１ｃ１，１１ｃ２と付与する場合がある。
【００２９】
このように、各インク像１８〜２０が形成される第１，第２転写領域２１，２２は、中間転写フィルム１１において予め領域が設定されると共に、その各転写領域２１，２２の間には各転写領域２１，２２を特定できるポジションマークＰＭ１６，ＰＭ１７がそれぞれ設けられている。これらのポジションマークはセンサ７Ｂにより検出され、その検出信号に基づいてその位置が制御部６にて判定できるよう構成されている。
【００３０】
このように中間転写フィルム１１に転写された各インク像１８〜２０は、カード基体１ＡＡに再転写される。
すなわち、制御部６は、センサ７Ｃにより検出されたカード基体１ＡＡの搬送位置情報に基づいて、そのカード基体１ＡＡ上の再転写領域の頭出しをするようカード搬送部ＫＨを制御する。
この頭出しは、再転写開始位置がサーマルヘッド１３〔図１（ａ）参照〕に対応する位置となるように行われる。
【００３１】
また、制御部６は、センサ７Ｃの検出信号に基づき、中間転写フィルム１１の第１，第２の転写領域２１，２２の内、先に再転写する領域として第１の転写領域２１を選択し、第１の転写領域２１の再転写開始位置がサーマルヘッド１３に対応する位置となるように中間転写フィルム搬送部ＴＦＨを制御する。
【００３２】
制御部６は、中間転写フィルム１１とカード基体１ＡＡとの位置出しに伴い、ヘッド駆動部ＨＡ２を駆動し、サーマルヘッド１３により中間転写フィルム１１をカード基体１ＡＡに押圧させつつ両者を搬送すると共に、そのサーマルヘッド１３を加熱して、中間転写フィルム１１の第１の転写領域２１におけるインク受容層１１ｄ１及び保護層１１ｃ１（転写層１１ｃｄ）を剥離層１１ｂから剥離してカード基体１ＡＡに転写（再転写）させるように制御する。
【００３３】
従って、カード基体１ＡＡには、第１の転写領域２１における転写層１１ｃｄが、インク受容層１１ｄ１を内側に、そして、保護層１１ｃ１が外側になるように再転写される。
【００３４】
次に、カード基体１ＡＡ上における再転写領域の再度の頭出しと、中間転写フィルム１１における第２の転写領域２２の頭出しとが行われ、第１の転写領域２１の再転写と同様にして、中間転写フィルム１１の第２の転写領域２２におけるインク受容層１１ｄ２及び保護層１１ｃ２（転写層１１ｃｄ）を剥離層１１ｂから剥離してカード基体１ＡＡ上の先に再転写された第１の転写領域２１の転写層１１ｃｄ上に重ねて再転写させる。
【００３５】
この重ね再転写については、一部繰り返しとなるが図５を用いて詳述する。図５は、被印刷物であるカード５２Ａ１における、カード基体１ＡＡに転写された第１及び第２の転写領域２１，２２に対応する再転写領域の概略断面図である。
【００３６】
まず、カード基体１ＡＡにおける所定の再転写領域に対して、中間転写フィルム１１において昇華性インク像１８が形成された第１の転写領域２１の転写層１１ｃｄを再転写する。これにより、カード基体１ＡＡ上には、転写層１１ｃｄが、インク受容層１１ｄ１，保護層１１ｃ１の順に積層される。
【００３７】
次に、溶融型インク像１９及び不可視インク像２０が形成された第２の転写領域２２を、先に第１の転写領域２１を再転写した領域に重ねて再転写する。
【００３８】
以上の再転写工程を経て、データ処理部７６で選択されたＡ１モードによるカード５２Ａ１が形成される。
【００３９】
このカード５２Ａ１は、昇華性インク像１８が形成された層が、不可視インク像２０が形成された層よりもカード基体１ＡＡ側に形成されると共に、両層の間に保護層１１ｃ１が介在する構成となっている。
【００４０】
従って、カード５２Ａ１において、昇華性インク像１８と紫外線発光インクの像である不可視インク像２０とが直接接していないので、不可視インク像２０を視認するために紫外線を照射した際に、昇華性インク像１８に照射される不可視インク像２０からの蛍光光量が、保護層１１ｃ１を透過することにより拡散減少して昇華性インクの退色が抑制され昇華性インク像１８は長期間にわたり良好に維持される。
さらに、蛍光インクである紫外線発光インクが昇華性インクに接触していると、互いに直接反応して昇華性インクの退色が促進される場合があるが、本実施例によれば、両インクは、保護層１１ｃ１によって接触せずに離隔しているので、昇華性インクの退色が防止され、昇華性インク像１８は長期間良好に維持される。
また、保護層１１ｃ１に周知の紫外線吸収剤や紫外線拡散剤を混合させた場合は、さらに紫外線による影響も抑制することができる。
【００４１】
また、カード５２Ａ１において、不可視インク像が、昇華性インク像１８及び溶融型インク像１９よりも表面側に設けられているので、不可視インク像２０の蛍光をより明瞭に視認することができる。
【００４２】
上述したように、Ａ１モードは、中間転写フィルム１１において、昇華性インク像１８の生成領域と不可視インク像２０の形成領域とを分離し、さらに、溶融性インク像１９を、不可視インク像２０と同じ領域に形成すると共に不可視インク像２０よりも先に形成するモードである。
【００４３】
＜Ａ２モード＞
次にＡ２モードについて説明する。
Ａ２モードは、昇華性インク像１８の生成領域と不可視インク像２０の形成領域とを分離する点はＡ１モードと共通であり、溶融インク像１９を、昇華性インク像１８と同じ領域に形成している点でＡ１モードと異なる。
【００４４】
図７は、データ処理部７６によりＡ２モードが選択され、このＡ２モードで形成されたカード５２Ａを示す。この例は、上述から明らかなように、溶融型インク像１９の積層方向における再転写位置が異なるものである。
このカード５２Ａへの再転写工程について図６，図７を用いて具体的に説明する。
【００４５】
まず、図６において、インクフィルム３３の昇華性インク層Ｙ，Ｍ，Ｃそれぞれのインクによる印刷像を、中間転写フィルム１１の所定の第１の転写領域２１に重ねて転写する。これにより、第１の転写領域２１におけるインク受容層１１ｄに昇華性インク像１８が形成される。
【００４６】
また、インクフィルム３３の溶融型インク層Ｋのインクを、同じ第１の転写領域２１に転写する。これにより、溶融型インク像１９が、第１の転写領域２１のインク受容層１１ｄ１における表面側に形成される。
【００４７】
一方、第１の転写領域２１に対して所定の間隔を隔てて隣接する第２の転写領域２２のインク受容層１１ｄ２に対して、紫外線発光インク層ＵＶＳのインクを転写し、不可視インク像２０を形成する。
【００４８】
この場合においても、各インク像１８〜２０が形成される第１及び第２転写領域２１，２２は中間転写フィルム１１において予め領域が設定されると共に、その各転写領域２１，２２の間には各転写領域２１，２２を特定できるポジションマークＰＭ１６，ＰＭ１７がそれぞれ設けられている。これらのポジションマークはセンサ７Ｂにより検出され、その検出信号に基づいてその位置が制御部６にて判定できるよう構成されている。
【００４９】
このように中間転写フィルム１１に転写された各インク像１８〜２０は、カード基体１ＡＡに再転写される。
【００５０】
これについて、図６及び図７を用いて詳述する。図７は、カード５２Ａにおける、カード基体１ＡＡに転写された第１及び第２の転写領域２１，２２に概ね対応する範囲の概略断面図である。
【００５１】
まず、図７に示すように、カード基体１ＡＡにおける所定の再転写領域に対して、中間転写フィルム１１における昇華性インク像１８及び溶融型インク像１９が転写形成された第１の転写領域２１の転写層１１ｃｄを再転写する。
これにより、カード基体１ＡＡ上には、転写層１１ｃｄが、インク受容層１１ｄ１、保護層１１ｃ１の順に積層される。
【００５２】
ここで、溶融型インク像１９は、中間転写フィルム１１のインク受容層１１ｄ１においてその表面側に形成されているので、この再転写により溶融型インク像１９はインク受容層１１ｄ１のカード基体１ＡＡ側に位置する。
【００５３】
次に、不可視インク像２０が形成された第２の転写領域２２の転写層１１ｃｄを、先に第１の転写領域２１を再転写した領域に重ねて再転写する。
【００５４】
これにより、不可視インク像２０が形成されたインク受容層１１ｄ２は、両面側から保護層１１ｃ１と保護層１１ｃ２とに挟まれた状態となる。
以上の再転写工程を経て、データ処理部７６で選択されたＡ２モードによるカード５２Ａ２が形成される。
【００５５】
この例によれば、昇華性インク像１８が形成された層が、不可視インク像２０が形成された層よりも、カード基体１ＡＡ側に形成されると共に、両層の間に保護層１１ｃ１が介在する構成となっている。
【００５６】
従って、カード５２Ａ２において、昇華性インク像１８と紫外線発光インクの像である不可視インク像２０とが直接接していないので、不可視インク像２０を視認するために紫外線を照射した際に、昇華性インク像１８に照射される不可視インク像２０からの蛍光光量が、保護層１１ｃ１を透過することにより拡散減少して昇華性インクの退色が抑制され昇華性インク像１８は長期間にわたり良好に維持される。
さらに、蛍光インクである紫外線発光インクが昇華性インクに接触していると、互いに直接反応して昇華性インクの退色が促進される場合があるが、本実施例によれば、カード５２Ａ２において、両インクは、保護層１１ｃ１によって接触せずに離隔しているので、昇華性インクの退色が防止され、昇華性インク像１８は長期間良好に維持される。
また、保護層１１ｃに周知の紫外線吸収剤や紫外線拡散剤を混合させた場合は、さらに紫外線による影響も抑制することができる。
特に、保護層１１ｃ１に周知の紫外線吸収剤や紫外線散乱剤を混合させることで、より高効率で抑制効果を得ることができる。
【００５７】
また、カード５２Ａ２において、不可視インク像が、昇華性インク像１８及び溶融型インク像１９よりも表面側に設けられているので、不可視インク像２０の蛍光をより明瞭に視認することができる。
【００５８】
以上、詳述した実施例において、一部記載が重複するが、各インクやフィルム等に用いることのできる材料例などを以下に示す。
インクフィルム３，３３の基材シート３３ａ：  ポリエステル，ポリプロピレン，ポリエチレン等のプラスチック、又はコンデンサ紙等（厚さ０．００３ｍｍ〜０．０１０ｍｍ）。
昇華性インク層：  各色の分散染料を樹脂系のバインダーとともに基材シート３３ａに塗布して形成する。
溶融型インク層：  カーボンブラックを発色剤とし、樹脂系のバインダーとともに基材シート３３ａに塗布して形成する。
第１，第２保護インクＯＣ１，ＯＣ２：  アクリル樹脂、ポリエステル樹脂、ポリウレタン樹脂等。
不可視インクＵＶＳ：不可視（無色）の蛍光体として、金属の酸化物または硫化物等の結晶を主成分とする顔料や、有機化合物を用いる。
また、不可視インクとしては、紫外線蛍光性に限らず、赤外線蛍光性を有するものであってもよい。また、いずれにおいても、各保護層ＯＣ１，１１ｃは、不可視インクの蛍光の波長領域を透過させ難い性質であるとより好ましい。
中間転写フィルム１１の基部１１ａ：  ポリエステル，ポリプロピレン，ポリエチレン等のプラスチック、又はコンデンサ紙等（厚さ０．０１ｍｍ〜０．０５ｍｍ）。
剥離層１１ｂ：  例えば、アクリル樹脂，ポリエステル樹脂，ポリウレタン樹脂等の熱可塑性樹脂に離型材料を添加してなる。
インク受容層１１ｃ：  例えば、ポリエステル樹脂，ビニル系樹脂，セルロース系樹脂等からなる。
保護層１１ｄ：  例えば、ポリウレタン樹脂，アクリル樹脂，ポリエチレン系樹脂等からなる。
【００５９】
以上、詳述したＡ１モード及びＡ２モードは、中間転写フィルム１１において、昇華性インク像１８の形成領域（第１の転写領域２１）と不可視インク像２０の形成領域（第２の転写領域２２）と、を分離し、再転写において、被印刷物に対して第１の転写領域２１、第２の転写領域２２の順に重畳印刷するモードである。
従って、カードを１枚作成するにあたり、中間転写フィルム１１の２つの領域（２つのパネルとも称する）が消費されることになる。
【００６０】
印刷レイアウト上、昇華性インク像１８と不可視インク像２０とが、重畳するものであれば、効果が常に発揮されるが、非重畳の場合、不可視インクで印刷された情報の確認のため紫外線が照射されても、昇華性インクは不可視インクの蛍光を直接浴びることはないので、退色は促進されず、カードとして有効に利用できる期間が短くなることはない。
従って、印刷レイアウト上、昇華性インク像１８と不可視インク像２０とが非重畳であれは、昇華性インクの退色を回避するための上述したＡ１モード、Ａ２モードによる中間転写フィルムの２パネル消費は、行わなくてもよい。
【００６１】
そこで、実施例のカード印刷装置６０に備えられたデータ処理部７６は、印刷レイアウトにおいて、昇華性インク像１８と不可視インク像２０との重なりの有無を検出し、重なりがある場合には、Ａ１モードまたはＡ２モードを選択し、重なりがない場合には、さらに、溶融性インク像１９と不可視インク像２０との重なりの有無を検出し、溶融性インク像１９と不可視インク像２０との重なりがある場合には、Ｂ１モードを選択し、重なりがない場合にはＢ２モードを選択する。
【００６２】
そこで、データ処理部７６を詳述する前に、まず、Ｂ１モード及びＢ２モードについて説明する。
【００６３】
Ｂ１モード及びＢ２モードは、昇華性インク像１８，溶融性インク像１９，及び不可視インク像２０を一つの像形成領域（１パネルとも称する）に形成するものである。
また、Ｂ１モードとＢ２モードとの違いは、溶融性インク像１９と不可視インク像２０との形成順が逆になっていることにある。
【００６４】
＜Ｂ１モード＞
まず、図８には、データ処理部７６により設定されたＢ１モードに基づいて制御部６の指示により転写動作が実行された後の中間転写フィルム１１を概略断面図として示している。
この中間転写フィルム１１への転写において、昇華性インクの各色Ｙ，Ｍ，Ｃは同一領域である転写領域２１２に重ねて転写される。
【００６５】
一方、この転写領域２１２の昇華性インクが転写されていない領域には、紫外線発光インク層ＵＶＳのインクと溶融型インク層Ｋのインクとが重ねて転写される。
すなわち、昇華性インクについては、転写領域２１２の頭出しとインクフィルム３３における各色の頭出しとを繰り返して、複数色Ｙ，Ｍ，Ｃの各インクが転写領域２１２のインク受容層１１ｄに転写される。これにより、インク受容層１１ｄには、昇華性インク像１８が形成される。
この像は、フルカラーで極めて高品位に印刷できるので顔写真などが好適である。
【００６６】
また、転写領域２１２における、昇華性インク像１８が形成されていない領域のインク受容層１１ｄに対しては、まず、紫外線発光インク層ＵＶＳのインクが転写されて不可視インク像２０が形成され、次いで溶融型インク層Ｋのインクが不可視インク像２０と重ねて転写されて溶融型インク像１９が形成される。
従って、後から転写される溶融型インク像１９は、インク受容層１１ｄにおいてその表面側に形成される。
【００６７】
このように、各インク像１８〜２０が形成される転写領域２１２は、中間転写フィルム１１において予め領域が設定されると共に、その転写領域２１２を特定できるポジションマークＰＭ１１６が設けられている。このポジションマークはセンサ７Ｂにより検出され、その検出信号に基づいてその位置が制御部６にて判定できるよう構成されている。
【００６８】
このように中間転写フィルム１１に転写された各インク像１８〜２０は、カード基体１ＡＡに再転写される。
すなわち、制御部６は、センサ７Ｃにより検出されたカード基体１ＡＡの搬送位置情報に基づいて、そのカード基体１ＡＡ上の再転写領域の頭出しをするようカード搬送部ＫＨを制御する。
この頭出しは、再転写開始位置がサーマルヘッド１３〔図１（ａ）参照〕に対応する位置となるように行われる。
【００６９】
また、制御部６は、センサ７Ｃの検出信号に基づき、中間転写フィルム１１の転写領域２１２の再転写開始位置がサーマルヘッド１３に対応する位置となるように中間転写フィルム搬送部ＴＦＨを制御する。
【００７０】
制御部６は、中間転写フィルム１１とカード基体１ＡＡとの位置出しに伴い、ヘッド駆動部ＨＡ２を駆動し、サーマルヘッド１３により中間転写フィルム１１をカード基体１ＡＡに押圧させつつ両者を搬送すると共に、そのサーマルヘッド１３を加熱して、中間転写フィルム１１の転写領域２１２におけるインク受容層１１ｄ及び保護層１１ｃ（転写層１１ｃｄ）を剥離層１１ｂから剥離してカード基体１ＡＡに転写（再転写）させるように制御する。
【００７１】
従って、カード基体１ＡＡには、転写領域２１２における転写層１１ｃｄが、インク受容層１１ｄを内側に、そして、保護層１１ｃが外側になるように再転写される。
【００７２】
この再転写については、一部繰り返しとなるが図９を用いて詳述する。図９は、被印刷物であるカード５２における、カード基体１ＡＡに転写された転写領域２１２に対応する再転写領域の概略断面図である。
【００７３】
まず、カード基体１ＡＡにおける所定の再転写領域に対して、中間転写フィルム１１において各インク像１８〜２０が形成された転写領域２１２の転写層１１ｃｄを再転写する。これにより、カード基体１ＡＡ上には、転写層１１ｃｄが、インク受容層１１ｄ，保護層１１ｃの順に積層される。
【００７４】
以上の再転写工程を経て、データ処理部７６で選択されたＢ１モードによるカード５２Ｂ１が形成される。
【００７５】
このＢ１モードによれば、カード５２Ｂ１において、昇華性インク像１８と不可視インク像２０は、同じインク受容層１１ｄの別々の領域に形成され、この受容層１１ｄを覆うように保護層１１ｃが積層される構成となっている。
【００７６】
従って、カード５２Ｂ１において、昇華性インク像１８と紫外線発光インクの像である不可視インク像２０とが重ならず、また、直接には接していないので、不可視インク像２０を視認するために紫外線を照射した際に、昇華性インク像１８に照射される不可視インク像２０からの蛍光光量が、直接不可視インクに当たることがなく、昇華性インクの退色は抑制され昇華性インク像１８は長期間にわたり良好に維持される。
【００７７】
また、カード５２Ｂ１において、不可視インク像２０が、溶融型インク像１９よりも表面側に設けられているので、不可視インク像２０の蛍光をより明瞭に視認することができる。
【００７８】
＜Ｂ２モード＞
次にＢ２モードについて説明する。まず、図１０には、データ処理部７６により設定されたＢ２モードに基づいて制御部６の指示により転写動作が実行された後の中間転写フィルム１１を概略断面図として示している。
この中間転写フィルム１１への転写において、昇華性インクの各色Ｙ，Ｍ，Ｃは同一領域である転写領域２１３に重ねて転写される。
【００７９】
一方、この転写領域２１３において、昇華性インクが転写されていない領域には、紫外線発光インク層ＵＶＳのインクが転写される。また、転写領域２１３において、昇華性インクと紫外線発光層のインクとの双方が転写されていない領域に溶融型インク層Ｋのインクが転写される。
すなわち、昇華性インクについては、転写領域２１３の頭出しとインクフィルム３３における各色の頭出しとを繰り返して、複数色Ｙ，Ｍ，Ｃの各インクが転写領域２１３のインク受容層１１ｄに転写される。これにより、インク受容層１１ｄには、昇華性インク像１８が形成される。
この像は、フルカラーで極めて高品位に印刷できるので顔写真などが好適である。
【００８０】
また、転写領域２１３における、昇華性インク像１８が形成されていない領域のインク受容層１１ｄに対しては、まず、溶融型インク層Ｋのインクが転写されて溶融型インク像１９が形成され、次に、昇華性インク像１８及び溶融型インク像１９が転写されていない領域のインク受容層１１ｄに対して、紫外線発光インク層ＵＶＳのインクが転写されて不可視インク像２０が形成される。
【００８１】
このように、各インク像１８〜２０が独立した領域に形成される転写領域２１３は、中間転写フィルム１１において予め領域が設定されると共に、その転写領域２１３を特定できるポジションマークＰＭ１１７が設けられている。このポジションマークはセンサ７Ｂにより検出され、その検出信号に基づいてその位置が制御部６にて判定できるよう構成されている。
【００８２】
このように中間転写フィルム１１に転写された各インク像１８〜２０は、カード基体１ＡＡに再転写される。
すなわち、制御部６は、センサ７Ｃにより検出されたカード基体１ＡＡの搬送位置情報に基づいて、そのカード基体１ＡＡ上の再転写領域の頭出しをするようカード搬送部ＫＨを制御する。
この頭出しは、再転写開始位置がサーマルヘッド１３〔図１（ａ）参照〕に対応する位置となるように行われる。
【００８３】
また、制御部６は、センサ７Ｃの検出信号に基づき、中間転写フィルム１１の転写領域２１３の再転写開始位置がサーマルヘッド１３に対応する位置となるように中間転写フィルム搬送部ＴＦＨを制御する。
【００８４】
制御部６は、中間転写フィルム１１とカード基体１ＡＡとの位置出しに伴い、ヘッド駆動部ＨＡ２を駆動し、サーマルヘッド１３により中間転写フィルム１１をカード基体１ＡＡに押圧させつつ両者を搬送すると共に、そのサーマルヘッド１３を加熱して、中間転写フィルム１１の転写領域２１３におけるインク受容層１１ｄ及び保護層１１ｃ（転写層１１ｃｄ）を剥離層１１ｂから剥離してカード基体１ＡＡに転写（再転写）させるように制御する。
【００８５】
従って、カード基体１ＡＡには、転写領域２１３における転写層１１ｃｄが、インク受容層１１ｄを内側に、そして、保護層１１ｃが外側になるように再転写される。
【００８６】
この再転写については、一部繰り返しとなるが図１１を用いて詳述する。図１１は、被印刷物であるカード５２における、カード基体１ＡＡに転写された転写領域２１２に対応する再転写領域の概略断面図である。
【００８７】
この再転写においては、カード基体１ＡＡにおける所定の再転写領域に対して、中間転写フィルム１１において各インク像１８〜２０が形成された転写領域２１３の転写層１１ｃｄを再転写する。これにより、カード基体１ＡＡ上には、転写層１１ｃｄが、インク受容層１１ｄ，保護層１１ｃの順に積層される。
【００８８】
以上の再転写工程を経て、データ処理部７６で選択されたＢ２モードによるカード５２Ｂ２が形成される。
【００８９】
このＢ２モードによれば、カード５２Ｂ２において、昇華性インク像１８と不可視インク像２０と溶融型インク像１９とは、同じインク受容層１１ｄの別々の領域に互いに独立して形成され、この受容層１１ｄを覆うように保護層１１ｃが積層される構成となっている。
【００９０】
従って、カード５２Ｂ２において、昇華性インク像１８と紫外線発光インクの像である不可視インク像２０とが重ならず、また、直接には接していないので、不可視インク像２０を視認するために紫外線を照射した際に、昇華性インク像１８に照射される不可視インク像２０からの蛍光光量が、直接不可視インクに当たることがなく、昇華性インクの退色は抑制され昇華性インク像１８は長期間にわたり良好に維持される。
【００９１】
以上、詳述したＢ１モード及びＢ２モードにおいては、１つのカードを作成する際の中間転写フィルム３３の消費量は、１パネル分のみであるから、Ａ１モードやＡ２モードに対して消費量は半分で済む。
【００９２】
次に、データ処理部７６について詳述する。
このデータ処理部７６の一実施形態についてそのブロック図を図１２に示す。
【００９３】
図１２においては、カード搬送部ＫＨ，インクフィルム搬送部ＩＦＨ，各センサ７Ａ〜７Ｃ，サーマルヘッド５，１３ヘッド駆動部ＨＡ，ＨＡ２，及び中間転写フィルム搬送部ＴＨＦをまとめて転写及び再転写動作部ＴＳＴとしている。
【００９４】
データ処理部７６は、データ入力部７６−１，データ合成部７６−２，固有情報不可視印刷データ発生部７６−３，装置固有情報記憶部７６−４，及びデータ重なり検出部７６−５を有して構成されている。
【００９５】
＜データ入力部７６−１＞
データ入力部７６−１は、各インクで印刷するデータをユーザが入力する入力装置である。キーボードや画像表示装置とマウスポインタなど、いわゆる入力装置として周知の装置を適用することができる。
【００９６】
＜装置固有情報記憶部７６−４（以下、記憶部７６−４とも称する）＞
この記憶部には、固有情報ＫＪとして、このカード製造装置６０の製造番号が記憶されている。
他の固有情報ＫＪとしては、このカード製造装置６０を特定できる情報として、たとえば、ネットワーク接続用のＭＡＣアドレス（Ｍｅｄｉａ  Ａｃｃｅｓｓ  Ｃｏｎｔｒｏｌ  Ａｄｄｒｅｓ）がある。
ＭＡＣアドレスの場合は、カード製造装置６０がネットワーク接続されていたとしても、その装置を特定でき、また、修理やメンテナンスなどで基板を交換した場合にも交換した基板特有の情報として更新記憶させることで、装置の履歴を精度よく追跡することができるので、トレーサビリティの点で特に有効である。
【００９７】
＜固有情報不可視印刷データ発生部７６−３（以下、不可視データ発生部７６−３とも称する）＞
記憶部７６−４に記憶された固有情報ＫＪを呼び出し、カードのどの領域にその情報を印刷させるかの印刷データを領域データとして生成する。
固有情報が複数ある場合は、データ入力部７６−１からの指示によって複数の中から１または複数の固有情報を選択する。
【００９８】
＜データ合成部７６−２＞
データ入力部７６−１に入力された印刷データと、不可視データ発生部７６−３で生成された固有情報とを合成して印刷レイアウトデータを生成する。
各インクで印刷する領域の大きさや位置などは、あらかじめ設定された定型モードと、ユーザが任意で設定できるマニュアルモードとが用意されており、ユーザが自由にレイアウトできるようになっている。
【００９９】
＜データ重なり検出部７６−５（以下、重畳検出部７６−５とも称する）＞
不可視データ合成部７６−２で設定された印刷レイアウトに基づき、不可視インク像２０と昇華性インク像１８との重なりの有無、及び不可視インク像２０と溶融型インク像１９との重なりの有無、を検出し、後述するモード信号ＭＳを印刷データＰＤと共に出力する。
この検出動作について、印刷の一レイアウト例である図１３及びフローチャートである図１４を用いて説明する。
【０１００】
図１３は、印刷済みのカード１５２を示す図である。この印刷内容は、溶融型インク像１９と不可視インク像２０とが重畳し、不可視インク像２０と昇華性インク像１８とが非重畳の、Ｂ１モードで転写及び再転写されたカード５２Ｂ１に相当するものを示す。また、この例では、不可視インク像２０の形成領域が２カ所独立して設けられている（下記〔２〕及び〔３〕）
【０１０１】
カード１５２は、全体の印刷領域〔１〕の範囲内に、印刷領域〔５〕としてＹ，Ｍ，Ｃの各昇華性インクで形成されたフルカラー写真の昇華性インク像１８と、印刷領域〔４〕として溶融型インクで形成された文字列の溶融型インク像１９と、印刷領域〔２〕として不可視インクで形成された固有情報ＫＪを含む不可視インク像２０ａと、印刷領域〔３〕として不可視インクで形成された禁止マークの不可視インク像２０ｂと、が印刷されている。以下、不可視インク像２０ａと２０ｂとをまとめて不可視インク像２０とも称する。
上述したように、この例では、印刷領域〔３〕と〔４〕とが重畳している。
【０１０２】
次に、図１４を用い、例として、このカード１５２の印刷情報に対する重畳検出部７６−５の重畳検出動作を説明する。
（ステップＳ１）
昇華性インク像形成領域〔５〕及び溶融型インク像形成領域〔４〕の印刷データをデータ合成部７６−２から入手する。
（ステップＳ２）
不可視インク像形成領域〔２〕，〔３〕の印刷データを不可視データ発生部７６−３から入手する。
（ステップＳ３）
昇華性インク像形成領域〔５〕と、不可視インク像形成領域〔２〕または〔３〕とが重畳しているか否かを判定する。
（ステップＳ４）
ステップＳ３で重畳していると判定した場合（Ｙｅｓ）は、さらに、溶融型インク像形成領域〔４〕と、不可視インク像形成領域〔２〕または〔３〕とが重畳しているか否かを判定し、重畳していると判定した場合（Ｙｅｓ）、転写及び再転写モードをＡ１モードに設定する（Ｓ４−１）。
また、重畳していないと判定した場合（Ｎｏ）、転写及び再転写モードをＡ２モードに設定する（Ｓ４−２）。
（ステップＳ５）
ステップＳ３で重畳していないと判定した場合（Ｎｏ）は、溶融型インク像形成領域〔４〕と、不可視インク像形成領域〔２〕または〔３〕とが重畳しているか否かを判定し、重畳していると判定した場合（Ｙｅｓ）、転写及び再転写モードをＢ１モードに設定し、重畳していないと判定した場合（Ｎｏ）、転写及び再転写モードをＢ２モードに設定する。
【０１０３】
カード１５２は、上述したように、溶融型インク像形成領域〔４〕と不可視インク像形成領域〔３〕とが重畳しているので、重畳検出部７６−５は、ステップ５においてＹｅｓと判定して転写及び再転写をＢ１モードに設定する。
【０１０４】
重畳検出部７６−５は、設定したモードの種別をモード信号ＭＳとして出力する。
【０１０５】
このように重畳検出部７６−５で設定され、出力されたモード信号ＭＳに応じて、制御部６は、この装置の動作を制御する。
また、重畳検出部７６−５は、転写及び再転写モードを設定すると共に、印刷データを送出する。
また、制御部６は、サーマルヘッド５に対してこの印刷データの転写動作を実行させる。
【０１０６】
以上、詳述したカード製造装置６０は、印刷レイアウトにおける不可視インク像形成領域と昇華性インク像形成領域との重畳有無を検出し、その結果に応じて、被印刷物を１つ作成するために２パネル分消費するＡ１モード又はＡ２モードか、１パネル分のみ消費するＢ１モード又はＢ２モードか、を選択して設定するよう構成されている。
そして、Ｂ１モード又はＢ２モードの選択時は、不可視インク像と昇華性インク像との重畳がない場合であるから元来不可視インクの退色等の問題が生じにくいので中間転写フィルムの浪費を防ぎ、Ａ１モード又はＡ２モードの選択時は、不可視インク像と昇華性インク像との重畳がある場合であるが、この２パネルを使用するＡ１及びＡ２モードを選択して、不可視インクの退色等の問題発生を回避する。
【０１０７】
すなわち、この製造装置及び製造方法は、中間転写フィルムの無駄な消費を防止しつつ、不可視インクの退色等の問題発生を常に防止することができるという効果を奏する。
【０１０８】
また、さらに、不可視インク像と溶融型インク像との重畳の有無によりＡ１モードとＡ２モードとの選択、あるいはＢ１モードとＢ２モードとの選択を行う。
そして、これらのインク像の重畳がない場合には、この選択によりそれぞれＡ２モード，Ｂ２モードに設定される。このＡ２モード，Ｂ２モードにおいては、不可視インク像の転写が溶融型インク像の転写よりも後に行われるので、不可視インク像は溶融型インク像の転写動作の影響を受けることがない。
【０１０９】
＜他の実施例（実施例２）＞
上述した実施例に対し、不可視インク像と溶融型インク像との重畳を検出せずに、不可視インクと溶融型インクとを所定の転写順で転写するカード製造装置であってもよい。
ここで所定の転写順とは、インクフィルム３３のインク層の形成順であり、まず不可視インクを転写して不可視インク像を形成し、次に溶融型インクを転写して溶融型インク像を形成する、という転写順である。
【０１１０】
この、実施例２における重畳検出部７６−５の重畳検出動作を図１６のフロー図を用いて説明する。
【０１１１】
（ステップＳ６１）
昇華性インク像形成領域〔５〕の印刷データをデータ合成部７６−２から入手する。
（ステップＳ６２）
不可視インク像形成領域〔２〕，〔３〕の印刷データを不可視データ発生部７６−３から入手する。
（ステップＳ６３）
昇華性インク像形成領域〔５〕と、不可視インク像形成領域〔２〕または〔３〕とが重畳しているか否かを判定する。
【０１１２】
ここで、重畳している（Ｙｅｓ）と判定したら、転写及び再転写モードをＡ１モードに設定する（ステップＳ６４）。
重畳していない（Ｎｏ）と判定したら、転写及び再転写モードをＢ１モードに設定する（ステップＳ６５）。
【０１１３】
この実施例２によれば、溶融型インクと不可視インクの転写動作が、インクリボン３３のインク層の配列順に行われる。従って、不可視インクに対する溶融型インクの転写動作の影響を考慮しなくてよい場合には、動作が簡単になるので好ましい。
【０１１４】
本発明の実施例は、上述した構成及び手順に限定されるものではなく、本発明の要旨を逸脱しない範囲において変形例としてもよいのは言うまでもない。
【０１１５】
インクフィルム３３については、各インク領域の配列順は上述した例で説明したものに限らない。実施例においては、いかなる順に配列されていても、カード製造装置６０の制御部６は、各インク領域の種類を判別し、少なくとも、中間転写フィルム１１上の所定の領域（第１の転写領域）昇華性インクを重畳して昇華性インク像１８を形成し、その領域とは別の領域（第２の転写領域）に不可視インク像２０を形成するように装置６０自体を制御する。
【０１１６】
図１２のブロック図で示す構成の変形例として、図１５（ａ）に示すように、カード製造装置６０に備えたデータ処理部７６を外部のパーソナルコンピュータ（以下、ＰＣ）から制御するように構成してもよい。この場合、ＰＣからはデータ処理部に対して制御信号ＳＳが送出される。
【０１１７】
さらに別の変形例として、図１５（ｂ）に示すように、カード製造装置６０Ｂは、入力インターフェースＩ／Ｆを設け、データ処理部７６を外部の処理機器７６ＳＫ（パーソナルコンピュータＰＣなど）に設ける一方、印刷レイアウトをデザインし上述した重畳を判定するプログラムによって、その処理機器７６ＳＫに転写及び再転写モードを設定させると共に、カード製造装置６０Ｂに、処理機器７６ＳＫから出力された転写及び再転写モード信号ＭＳと印刷データＰＤとに基づいて転写及び再転写動作を実行させるよう構成してもよい。
【０１１８】
記憶部７６−４には、製造段階で製造番号を記憶させておいてもよく、サービスマンにより後から記憶させるようにしてもよい。
また、上述したように、メンテナンスの履歴や修理の履歴に応じて、記憶された固有情報は、最新の情報が書き込まれる（追記）ことが望まれ、これは、この印刷装置に外部との通信手段を設け、この通信手段を介して外部から実行してもよい。
【図面の簡単な説明】
【０１１９】
【図１】本発明の再転写方式の印刷装置の実施例を説明するための概略の構成図およびブロック図である。
【図２】本発明の再転写方式の印刷装置の実施例で用いるインクフィルムを説明するための平面図である。
【図３】本発明の再転写方式の印刷装置の実施例で用いる中間転写フィルムを説明するための断面図である。
【図４】本発明の再転写方式の印刷装置の実施例におけるＡ１モードの転写工程を説明するための断面図である。
【図５】本発明の再転写方式の印刷装置の実施例におけるＡ１モードの転写及び再転写工程で製造したカードを説明するための断面図である。
【図６】本発明の再転写方式の印刷装置の実施例におけるＡ２モードの転写工程を説明するための断面図である。
【図７】本発明の再転写方式の印刷装置の実施例におけるＡ２モードの転写及び再転写工程で製造したカードを説明するための断面図である。
【図８】本発明の再転写方式の印刷装置の実施例におけるＢ１モードの転写工程を説明するための断面図である。
【図９】本発明の再転写方式の印刷装置の実施例におけるＢ１モードの転写及び再転写工程で製造したカードを説明するための断面図である。
【図１０】本発明の再転写方式の印刷装置の実施例におけるＢ２モードの転写工程を説明するための断面図である。
【図１１】本発明の再転写方式の印刷装置の実施例におけるＢ２モードの転写及び再転写工程で製造したカードを説明するための断面図である。
【図１２】本発明の再転写方式の印刷装置の実施例を説明するブロック図である。
【図１３】本発明の再転写方式の印刷装置の実施例で製造したカードの印刷レイアウト例である。
【図１４】本発明の再転写方式の印刷装置の実施例の動作を説明するフローチャートである。
【図１５】本発明の再転写方式の印刷装置の実施例に対する変形例を説明する概略のブロック図である。
【図１６】本発明の再転写方式の印刷装置の他の実施例の動作を説明するフローチャートである。
【符号の説明】
【０１２０】
１ＡＡ  カード基体
２  挟持ローラ
３３  インクフィルム
３３ａ  基材シート
４，１２  リール
５，１３  サーマルヘッド
５Ｂ  ローラ
６  制御部
７Ａ〜７Ｃ  センサ
１８  昇華性インク像
１９  溶融型インク像
２０  不可視インク像（紫外線発光インク像）
１１  中間転写フィルム
１１ａ  基部
１１ｂ  剥離層
１１ｃ  インク受容層
１１ｄ  保護層
１１ｃｄ  転写層
２１，２２  第１，第２の転写領域
３３  インクフィルム
３３ａ  基材シート
５２Ａ１，５２Ａ２，５２Ｂ１，５２Ｂ２  カード
６０  カード製造装置
７６  データ処理部
７６−１  データ入力部
７６−２  装置固有情報記憶部（記憶部）
７６−３  固有情報不可視印刷データ発生部（不可視データ発生部）
７６−４  データ合成部
７６−５  データ重なり検出部（重畳検出部）
７６ＳＫ  処理機器
ＨＡ，ＨＡ２  ヘッド駆動部
ＩＦＨ  インクフィルム搬送部
Ｋ  溶融型インク（層）（領域）
ＫＨ  カード搬送部
ＫＪ  固有情報
ＫＭ２  （層の）一組
Ｍ１〜Ｍ５  モータ
ＯＣ１，ＯＣ２  第１，第２保護インク層
ＰＭ１〜ＰＭ１７  ポジションマーク
ＴＦＨ  中間転写フィルム搬送部
ＴＳＴ  転写及び再転写動作部
ＵＶＳ  紫外線発光（不可視）インク（層）（領域）
Ｙ，Ｍ，Ｃ  昇華性インク（層）（領域）
ＭＳ  モード信号
【図１】
0005119822.tif 000002
【図２】
0005119822.tif 000003
【図３】
0005119822.tif 000004
【図４】
0005119822.tif 000005
【図５】
0005119822.tif 000006
【図６】
0005119822.tif 000007
【図７】
0005119822.tif 000008
【図８】
0005119822.tif 000009
【図９】
0005119822.tif 000010
【図１０】
0005119822.tif 000011
【図１１】
0005119822.tif 000012
【図１２】
0005119822.tif 000013
【図１３】
0005119822.tif 000014
【図１４】
0005119822.tif 000015
【図１５】
0005119822.tif 000016
【図１６】
0005119822.tif 000017